(57)【要約】【課題】不正利用を防止する交通カードを利用する通信システムに関するものである。【解決手段】無線通信部を有し、カード読み取り装置200及び無線基地局300と、それぞれ異なる方式で通信をするカード100と、無線通信部を有し、カード100及び無線基地局300と、それぞれ異なる方式で通信し、カード100に記憶された情報を取得するカードを読み取り装置200と、カード100及びカード読み取り装置200と通信する無線基地局300と、カード100及びカード読み取り装置200が属する通信エリアを記憶する位置登録サーバ400と、カード100を認証し、使用可否を判定する認証サーバ500と、を備えたカードシステムにおいて、無線基地局300は、無線基地局300が属する通信エリア内に存在するカード100の使用可否の情報を、前記エリア内に存在するカード読み取り装置200に送信する。【選択図】      図１
2005079777.tif 000002
【特許請求の範囲】
【請求項１】
無線通信部を有し、カード読み取り装置及び無線基地局と、それぞれ異なる方式で通信をするカードと、
無線通信部を有し、前記カード及び無線基地局と、それぞれ異なる方式で通信し、前記カードに記憶された情報を取得するカード読み取り装置と、
前記カード及び前記カード読み取り装置と通信する無線基地局と、
前記カード及び前記カード読み取り装置が属する通信エリアを記憶する位置登録サーバと、
前記カードを認証し、使用可否を判定する認証サーバと、を備えたカードシステムにおいて、
前記無線基地局は、前記無線基地局が属する通信エリア内に存在するカードの使用可否の情報を、前記エリア内に存在するカード読み取り装置に送信することを特徴とするカードシステム。
【請求項２】
前記カードは、情報を記憶する記憶部を備え、
前記記憶部には、前記カードの使用可否の情報が記憶されることを特徴とする請求項１に記載のカードシステム。
【請求項３】
無線通信部を有し、カード読み取り装置及び無線基地局と、それぞれ異なる方式で通信をするカードと、
無線通信部を有し、前記カード及び無線基地局と、それぞれ異なる方式で通信し、前記カードに記憶された情報を取得するカード読み取り装置と、
前記カード及び前記カード読み取り装置と通信する無線基地局と、
前記カード及び前記カード読み取り装置が属する通信エリアを記憶する位置登録サーバと、
前記カードを認証し、使用可否を判定する認証サーバと、を備えたカードシステムにおいて、
前記カード読み取り装置は、前記位置登録サーバに対する位置登録の際に、前記カード読み取り装置が属する通信エリアに存在するカードの使用可否の情報を取得することを特徴とするカードシステム。
【請求項４】
前記無線基地局は、前記無線基地局が属する一斉呼出エリア内に存在するカードの使用可否の情報を、呼出チャネルを用いて送信することを特徴とする請求項１から３のいずれか一つに記載のカードシステム。
【請求項５】
通信端末と、
前記通信端末と通信を行う無線基地局と、
前記無線基地局に接続され、前記通信端末の位置情報を登録する位置登録サーバと、
前記位置登録サーバに接続され、前記通信端末の使用可否を認証する認証サーバと、を備えた通信システムにおいて、
前記無線基地局は、該無線基地局の一斉呼出エリア内にある通信端末に、前記通信端末の使用可否の情報を、呼出チャネルを用いて送信することを特徴とする通信システム。
【請求項６】
無線通信部を有するカードと通信をして前記カードに記憶された情報を取得し、
前記カードの使用可否を判定する認証サーバに接続された無線基地局から送られる、前記無線基地局が属する通信エリア内に存在する該カードの使用可否情報を受信する、無線通信部を備えたカード読み取り装置。
【請求項７】
無線通信部と、
使用可否情報を記憶する記憶部を有し、
無線通信部を備えたカード読み取り装置に対し前記使用可否情報を送信するカード装置。
【発明の詳細な説明】
【技術分野】
【０００１】
本発明は、カードによって交通機関等を利用可能なポストペイ方式のカードを利用するための通信システムに関し、特に、不正利用を防止することができる通信システムに関する。
【背景技術】
【０００２】
電車やバス等の交通機関を利用する際に、乗車券を券売機等で購入することなく、プリペイドカードを購入し、プリペイドカードを改札機に通すことによって、該プリペイドカードに予め設定された金額から必要な料金を差し引き、交通機関の利用が可能になるカードシステムが広く利用されている。
【０００３】
また、前述したプリペイドカードをクレジットカードと組み合わせ、例えば、交通機関の利用時に直接カードに設定された残高から料金を引き落とすのではなく、利用した金額に応じて、後にまとめて支払うポストペイ方式のカードシステムが検討されている。
【０００４】
また、正規のカード所持者を認識し、かつ偽造等の不正使用者を検出できるシステムとして、カードを読み取る販売店端末に識別番号を付し、認証センターで当該識別番号に対応する位置情報を検索し、カード情報からクレジットカード所有者が所有する携帯端末の電話番号を検索し、当該携帯端末の現在位置を検出し、携帯端末の位置と販売店端末の位置とを比較して、クレジットカードの使用者が正規のカード所持者であるか否かを判断するカード認証システムがある（例えば、特許文献１参照。）。
【特許文献１】特開２００２−２８８７４４号公報
【発明の開示】
【発明が解決しようとする課題】
【０００５】
交通カードに、前述のポストペイ方式を導入した場合、利用者は、カードの残額の有無を気にすることなく、交通機関を使用できるという利点がある。しかし、故意又は無意識に不正にカードが使用された場合、又は、紛失・盗難の場合等に、カードの使用を直ちに停止する措置を講じる必要が発生する。また、バス・タクシー等、有線接続が不可能な交通手段に設置されたカード読み取り端末においても、同様に、不正なカードの使用を停止する措置を講ずる必要がある。
【０００６】
本発明は以上のような問題点に鑑みてなされたものであり、ポストペイ方式のカード及びカード読み取り端末に、例えば、ＰＨＳによる通信等無線通信機能を利用することで、不正なカードの使用を防止することのできるカードシステムに用いられる通信システムを提供することを目的とする。
【課題を解決するための手段】
【０００７】
第１の発明は、無線通信部を有し、カード読み取り装置及び無線基地局と、それぞれ異なる方式で通信をするカードと、無線通信部を有し、前記カード及び無線基地局と、それぞれ異なる方式で通信し、前記カードに記憶された情報を取得するカード読み取り装置と、前記カード及び前記カード読み取り装置と通信する無線基地局と、前記カード及び前記カード読み取り装置が属する通信エリアを記憶する位置登録サーバと、前記カードを認証し、使用可否を判定する認証サーバと、を備えたカードシステムにおいて、前記無線基地局は、前記無線基地局が属する通信エリア内に存在するカードの使用可否の情報を、前記エリア内に存在するカード読み取り装置に送信することを特徴とする。
【０００８】
第２の発明は、第１の発明において、前記カードは、情報を記憶する記憶部を備え、前記記憶部には、前記カードの使用可否の情報が記憶されることを特徴とする。
【０００９】
第３の発明は、無線通信部を有し、カード読み取り装置及び無線基地局と、それぞれ異なる方式で通信をするカードと、無線通信部を有し、前記カード及び無線基地局と、それぞれ異なる方式で通信し、前記カードに記憶された情報を取得するカード読み取り装置と、前記カード及び前記カード読み取り装置と通信する無線基地局と、前記カード及び前記カード読み取り装置が属する通信エリアを記憶する位置登録サーバと、前記カードを認証し、使用可否を判定する認証サーバと、を備えたカードシステムにおいて、前記カード読み取り装置は、前記位置登録サーバに対する位置登録の際に、前記カード読み取り装置が属する通信エリアに存在するカードの使用可否の情報を取得することを特徴とする。
【００１０】
第４の発明は、第１から第３の発明において、前記無線基地局は、前記無線基地局が属する一斉呼出エリア内に存在するカードの使用可否の情報を、呼出チャネルを用いて送信することを特徴とする。
【００１１】
第５の発明は、通信端末と、前記通信端末と通信を行う無線基地局と、前記無線基地局に接続され、前記通信端末の位置情報を登録する位置登録サーバと、前記位置登録サーバに接続され、前記通信端末の使用可否を認証する認証サーバと、を備えた通信システムにおいて、前記無線基地局は、該無線基地局の一斉呼出エリア内にある通信端末に、前記通信端末の使用可否の情報を、呼出チャネルを用いて送信することを特徴とする。
【００１２】
第６の発明は、無線通信部を有するカードと通信をして前記カードに記憶された情報を取得し、前記カードの使用可否を判定する認証サーバに接続された無線基地局から送られる、前記無線基地局が属する通信エリア内に存在する該カードの使用可否情報を受信する、無線通信部を備えたカード読み取り装置である。
【００１３】
第７の発明は、無線通信部と、使用可否情報を記憶する記憶部を有し、無線通信部を備えたカード読み取り装置に対し前記使用可否情報を送信する。
【発明の効果】
【００１４】
本発明によると、ＰＨＳ通信機能を備えたカードと、カードの位置（カードが存在する一斉呼出エリア）を登録する位置登録サーバと、カードの使用可否の情報を保持する認証サーバとを備え、カードの認証情報を同一の一斉呼出エリアに送信するので、故意又は無意識にカードの不正な使用を行った場合や、紛失・盗難の場合等に、カードの使用を直ちに停止する等の措置を講じることができ、カードの不正使用を防止することができる。
【発明を実施するための最良の形態】
【００１５】
以下に、本発明の実施の形態を図面に基づいて説明する。
【００１６】
図１は、本発明の実施の形態のカードシステムの構成を示すブロック図である。
【００１７】
カード１００は、クレジットカードとしても利用できる非接触型のカードである。カード１００は、カード読み取り装置２００によって、データの書き込み、データの読み出しができる。
【００１８】
カード１００には、カード読み取り装置２００と通信を行うための無線通信部（対読み取り装置通信部１１０）、及び、基地局（ＣＳ）３００と無線通信を行うためのＰＨＳ無線部１２０が備えられている。すなわち、カード１００がＰＨＳ無線部１２０によって、基地局３００と無線通信を行うことで、通信端末として機能する。
【００１９】
なお、利用者は、カード１００を利用したい場合には、予め、カード発行機関に所定の申し込み手続きによる利用登録を行い、カード１００の発行を受ける。
【００２０】
カード読み取り装置２００は、例えば、駅の改札機に固定的に設置され、また、バスやタクシーの料金収集装置に移動可能に設置される。カード読み取り装置２００には、カード１００と通信を行うための無線通信部（対カード通信部２１０）、及び、基地局（ＣＳ）３００と無線通信を行うためのＰＨＳ無線部２２０が備えられている。ＰＨＳ無線部２２０によって基地局３００と無線通信を行うことで、カード読み取り装置２００も通信端末として機能する。
【００２１】
基地局３００は、その各々が所定の範囲の通信端末（カード１００及びカード読み取り装置２００）と通信することができる通信エリアを構成している。また、複数の基地局３００（複数の通信エリア）によって一つの一斉呼出エリア（ＰＡ：ページングエリア）が構成されている。なお、図１において、一斉呼出エリアは破線で表されており、基地局３００ａ及び３００ｂが同一の一斉呼出エリアに属している。また、図１に示す例では、基地局３００ａがカード１００及びカード読み取り装置２００ａと、基地局３００ｂがカード読み取り装置２００ｂと、それぞれ通信を行っている。
【００２２】
基地局３００には、位置登録サーバ４００がネットワークを介して接続されている。位置登録サーバ４００は、通信端末（カード１００及びカード読み取り装置２００）が、どの一斉呼出エリアに存在するか（どの基地局と通信可能であるか）の情報を、該カード１００の固有の情報と共に、位置登録データベース４１０に登録し保持している。そして、カード１００及びカード読み取り装置２００が他の一斉呼出エリアに移動する場合は、位置登録データベース４１０のデータが更新される。
【００２３】
また、位置登録サーバ４００には、認証サーバ５００が接続されている。認証サーバ５００は、カード１００の認証情報（カード１００の使用可否に関する情報）を、カード認証用データベース５１０に登録し保持している（図４参照）。
【００２４】
図２は、カード１００の構成を示すブロック図である。
【００２５】
カード１００には、カード読み取り装置２００と通信を行う対読み取り装置通信部１１０及びアンテナ１５０、基地局３００との通信を行うＰＨＳ無線部１２０及びアンテナ１６０、カード１００の各部を制御する制御部１３０、カード１００の情報を表示する表示部１４０等から構成されている。
【００２６】
対読み取り装置通信部１１０は、コイル状のアンテナ１５０に接続されている。カード１００がカード読み取り装置２００に接近すると、アンテナ１５０がカード読み取り装置２００から発せられる磁界を受けて、電磁誘導作用によって交流の起電力が生じ、この起電力によって対読み取り装置通信部１１０を動作させる。そして、この起電力の強弱を、対読み取り装置通信部１１０の復変調回路によって信号に変換することで、カード読み取り装置２００との間でデータの送受信ができる。
【００２７】
ＰＨＳ無線部１２０はアンテナ１６０に接続されており、アンテナ１６０を介して、基地局３００からの電波を受信し、基地局３００に電波を送信する。ＰＨＳ無線部１６０は、ベースバンド部及びコーデック部が備えられ、アンテナ１６０からの高周波信号をデータ信号に変換し、またデータ信号を高周波信号に変換してアンテナ１６０に送ることで、基地局３００との間でデータの送受信ができる。なお、このＰＨＳ無線部は音声通話機能（送話部や受話部）は持たず、データ通信機能及び通信のための位置登録機能のみを持っている。
【００２８】
制御部１３０は、カード１００の各部の制御を行う。表示部１４０は制御部１３０からの信号によって、カード１００に記憶された情報や、カード読み取り装置２００及び基地局３００との通信によって取得した情報（例えば、カードの使用可否、プリペイド金額の残高等）を表示する。
【００２９】
図３は、カード読み取り装置２００の構成を示すブロック図である。
【００３０】
カード読み取り装置２００には、カード１００と通信を行う対カード通信部２１０及びアンテナ２５０、基地局３００と通信を行うＰＨＳ無線部２２０及びアンテナ２６０、カード読み取り装置２００の各機能を制御する制御部２３０等から構成されている。
【００３１】
対カード通信部２１０は、コイル状のアンテナ２５０に接続されている。対カード通信部２１０は、アンテナ２５０を経由して発する磁界の電磁誘導によって、近接されたカード１００に起電力を生じさせ、電力を供給する。カード読み取り装置２００は、磁界によって生じる交流の起電力の強弱を、対カード通信部２１０の復変調回路によって信号に変換することで、カード１００との間でデータの送受信ができる。
【００３２】
ＰＨＳ無線部２２０はアンテナ２６０に接続されており、アンテナ２６０を介して、基地局３００からの電波を受信し、基地局３００に電波を送信する。ＰＨＳ無線部２２０は、ベースバンド部及びコーデック部が備えられ、アンテナ２６０からの高周波信号をデータ信号に変換し、またデータ信号を高周波信号に変換してアンテナ２６０に送ることで、基地局３００との間でデータの送受信ができる。
【００３３】
制御部２３０は、カード読み取り装置２００の各部の制御を行う。
【００３４】
次に、本発明の実施の形態のカードシステムの動作を説明する。
【００３５】
本発明の実施の形態のカードシステムは、カード１００にＰＨＳによる通信機能を備えており、基地局３００を介して位置登録サーバ４００にカード１００の位置情報（カード１００が存在する一斉呼出エリア）を集中的に管理する。また、カード１００の紛失によりカードの使用を中止する場合に、該カードを使用禁止にするための情報を認証サーバ５００に保持することで、カード１００の不正利用に対して、適切な措置を行うことができるよう構成されている。
【００３６】
まず、カード１００は、使用を開始する際（例えば、新たに購入され、動作を開始する際）、又は、ハンドオフにより新たな一斉呼出エリアに移動した際に、位置登録サーバ４００に自身の位置情報を登録するよう要求する。位置登録サーバ４００は、カード１００の位置情報（カード１００が存在する一斉呼出エリア）、カード１００の固有の情報（例えば、カード１００及びカード読み取り装置２００に予め割り当てられた固有の情報（ＰＳ番号、ＰＳＩＤ）、電話番号等）を、位置登録データベース４１０に位置情報として記録する。
【００３７】
次に、位置登録サーバ４００は、認証サーバ５００に対して、カード１００の認証情報を問合わせる。認証サーバ５００は、カード認証用データベース５１０を参照して、問い合わせを受けたカード１００の情報がカード認証用データベース５１０に使用禁止カードとして登録されているかを検索する。カード認証用データベース５１０には、カードを紛失した等の理由によて使用が禁止されたカードの情報が記憶されている（図４参照）。カード認証用データベース５１０に該カードが使用禁止カードとして登録されていれば、そのカードに関する情報を位置登録サーバ４００に通知する。位置登録サーバ４００は、この通知を受けて、基地局３００を介して、該カード１００及び同一の一斉呼出エリア内にあるカード読み取り装置２００に、該カードの使用を禁止する旨の通知を同報する。この通知により該カード１００の使用が不許可となる。また、危険度が高いカード１００が使用されようとした場合には、予め契約した警備会社などに通報を行う。
【００３８】
図４は、このカード認証用データベース５１０の内容の一例を示す。
【００３９】
使用が禁止されたカードに割り当てられている電話番号に対応して、位置、当該カードの危険度が記録されている。この危険度とは、例えば、使用禁止が登録されるまでに繰り返し不正に使用された場合など、悪質な場合ほど危険度が高く設定される。
【００４０】
例えば、表の上段では、一斉呼出エリアが「ＰＡ０１」、電話番号が「０７００１２３４５６７」であるカード１００の危険度が高く、「１０」であることが示されている。
【００４１】
図５は、カード１００が行う位置登録の処理を示すフローチャートである。
【００４２】
カード１００は、一斉呼出エリアに変更があるか否かを判定している（処理１００１）。カード１００が存在する一斉呼出エリアに変更がない場合は、以後の処理を行わずにこの処理で待機する。カード１００が移動しハンドオフが行われることにより、一斉呼出エリアの変更があったと判定した場合は、処理１００２に移行する。この判定は、ハンドオフ時にカード１００と基地局３００とで通信する制御チャネルのメッセージの中の、基地局３００の情報であるＣＳＩＤ中に含まれる一斉呼出エリアのＩＤを参照して判定する。
【００４３】
処理１００２では、基地局３００に対して位置登録要求信号を送信して、カード１００の位置に関する情報を、位置登録サーバ４００の位置登録データベース４１０に登録するように要求する。
【００４４】
位置登録サーバ４００への位置登録が終了すると、位置登録サーバ４００は位置情報の登録が完了した旨、及び、認証サーバ５００から取得した当該カードに関する情報がカード１００に送信される。
【００４５】
カード１００はこの当該カードに関する情報を受信すると（処理１００３）、受信した当該カードに関する情報を、制御部１３０に備えられているメモリ等の記憶装置に記憶する。次に、当該カードに関する情報（カードの使用期間等の使用条件や、使用禁止の登録がされていた場合には、カードが使用できない旨）を、表示部１４０に表示する（処理１００４）。
【００４６】
なお、当該カードの使用が禁止されている場合には、カードが使用不可能である旨を表示すると共に、制御部１３０によって当該カードの使用ができなくなるように動作させることもできる。
【００４７】
また、位置登録が完了し、カードの使用が可能になった旨を表示して、使用可能カードであることが確認できた場合にのみ、制御部１３０によって当該カードの使用を可能とするように動作させてもよい。
【００４８】
図６は、カード読み取り装置２００が行う位置登録の処理を示すフローチャートである。
【００４９】
カード読み取り装置２００は、一斉呼出エリアに変更があるか否かを判定している（処理２００１）。カード読み取り装置２００が存在する一斉呼出エリアに変更がない場合は、以後の処理を行わずにこの処理で待機する。カード読み取り装置２００が移動しハンドオフが行われることにより、一斉呼出エリアの変更があったと判定した場合は、処理２００２に移行する。この一斉呼出エリアの変更の判定は、カード１００と同様に、ＣＳＩＤ中に含まれる一斉呼出エリアのＩＤを参照して判定する。
【００５０】
処理２００２では、基地局３００に対して位置登録要求信号を送信して、カード読み取り装置２００の位置に関する情報を、位置登録サーバ４００の位置登録データベース４１０に登録するように要求する。
【００５１】
位置登録サーバ４００への位置登録が終了すると、位置登録サーバ４００は、登録が完了したカード読み取り装置２００の存在する一斉呼出エリア内に存在するカード１００のうち、使用が禁止されているカード１００の情報がカード読み取り装置２００に送信される。
【００５２】
カード読み取り装置２００はカード１００の情報を受信すると（処理２００３）、まず、既に制御部２３０に備えられているメモリ等の記憶装置に記憶されている、使用が禁止されているカード１００の情報を削除する（処理２００４）。次に、新たに受信した使用が禁止されているカード１００の情報を記憶する。（処理２００５）。
【００５３】
このように、新たにカードの情報を受信すると、既に記憶されているカードの情報を削除して、新たに受信したカードの情報を記憶するので、カード読み取り装置２００の記憶容量を大きくする必要がない。
【００５４】
図７は、基地局側（位置登録サーバ４００及び認証サーバ５００）で行われる、カード１００の位置登録の処理を示すフローチャートである。
【００５５】
基地局３００は、カード１００からの位置登録要求（図５の処理１００２）があるか否かを監視している（処理３００１）。位置登録要求がない場合は、要求があるまでこの処理が繰り返され、待機する。位置登録要求があったと判定したときは、処理３００２に移行する。
【００５６】
処理３００２では、基地局３００は、位置登録要求を受けたカード１００に関する情報を登録するように位置登録サーバ４００に要求する。そして、位置登録サーバ４００は、位置登録要求を受けたカード１００が属している一斉呼出エリア、該カード１００の電話番号等の情報を、位置登録データベース４１０に登録する。
【００５７】
次に、位置登録サーバ４００は、認証サーバ５００に対して、位置登録要求を受けたカード１００の情報の検索を要求する（処理３００３）。
【００５８】
検索要求を受けた認証サーバ５００は、要求のあったカード１００の電話番号に基づいてカード認証用データベース５１０を検索し、当該カードの使用が禁止されている旨の登録がされているか否かを判定する（処理３００４）。使用禁止であるとの登録がされていれば、該電話番号のカードは使用が禁止されている旨の通知を位置登録サーバ４００に送る（処理３００５）。使用禁止であるとの登録がされていなければ、使用可能である旨の通知を位置登録サーバ４００に送る（処理３００６）。
【００５９】
次に、位置登録サーバ４００は、認証サーバ５００から使用禁止である旨の通知を受け取ると、基地局３００を介して、そのカード１００、及び、同一の一斉呼出エリア内に存在するカード読み取り装置２００に対して、使用禁止である旨の通知を送信する（処理３００７）。
【００６０】
このカードの使用禁止情報は、基地局３００から、ページングチャネルのアイドル状態におけるオプションのデータに含められて送信される。よって、同一の一斉呼出エリア内に存在する通信端末（カード１００及びカード読み取り装置２００）に、当該カードに関する情報を同報することができる。
【００６１】
図８は、基地局側（位置登録サーバ４００及び認証サーバ５００）で行われる、カード読み取り装置２００の位置登録の処理を示すフローチャートである。
【００６２】
基地局３００は、カード読み取り装置２００からの位置登録要求（図６の処理２００２）があるか否かを監視している（処理４００１）。位置登録要求がない場合は、要求があるまでこの処理が繰り返され、待機する。位置登録要求があったと判定したときは、処理４００２に移行する。
【００６３】
処理４００２では、基地局３００は、位置登録要求を受けたカード読み取り装置２００に関する情報を登録するように位置登録サーバ４００に要求する。そして、位置登録サーバ４００は、カード読み取り装置２００が属している一斉呼出エリア、該カード読み取り装置２００の電話番号等の情報を、位置登録データベース４１０に登録する。
【００６４】
次に、位置登録サーバ４００は、認証サーバ５００に対して、同一一斉呼出エリア内に存在するカード１００の情報の検索を要求する（処理４００３）。
【００６５】
検索要求を受けた認証サーバ５００は、カード読み取り装置２００が存在する一斉呼出エリアに基づいてカード認証用データベース５１０を検索し、当該一斉呼出エリアに属している、使用が禁止されているカード１００の情報を抽出し、抽出した情報を位置登録サーバ４００に送る。位置登録サーバ４００は、受け取った使用禁止である登録がされているカード１００の情報を、基地局３００を介して、カード読み取り装置２００に送信する（処理４００４）。このカードの情報は、基地局３００から、位置登録要求をしたカード読み取り装置２００に対して個別に送信されるが、ページングチャネルのアイドル状態におけるオプションのデータに含めて送信してもよい。
【００６６】
次に、カード認証用データベース５１０に使用禁止であると登録されているカード１００が使用されようとした場合の処理について説明する。
【００６７】
図９は、カード読み取り装置２００の行う、不正なカードが使用されようとした場合の処理を示すフローチャートである。
【００６８】
カード読み取り装置２００は、カード１００がカード読み取り装置２００の対カード通信部２１０によって読み込まれたか否かを判定している（処理５００１）。カード１００が読み込まれない場合は、読み込みがあるまでこの処理が繰り返され、待機する。カード１００が読み込まれたと判定すると、該カード１００と通信を行い、該カード１００の情報（例えば、電話番号）を取得する（処理５００２）。
【００６９】
次に、位置登録時に（図８の処理４００４）、又は、その後（図７の処理３００７）取得した使用が禁止されているカードの情報を参照し、読み込んだカード１００の使用が禁止されているものとして登録されているか否かを判定する（処理５００３）。当該カードの使用が禁止されている場合は処理５００４に移行する。使用が禁止されていない場合は処理５００７に移行し、該カード１００の使用を許可し、所定の処理（例えば、カードからの金額引き落とし等の処理）を行う。
【００７０】
処理５００４では、カードの使用禁止の情報から、カードの危険度を参照し、危険度が予め設定されている値よりも大きいか否かを判定する。危険度が所定の値よりも大きい場合は、処理５００６に移行し、危険度が所定の値よりも小さい場合は処理５００５に移行する。
【００７１】
処理５００５では、該カード１００の使用を不許可に設定する。このとき、カード読み取り装置２００からカード１００に対して使用ができない旨を送信して、カード１００の表示部１４０にその旨を表示してもよい。
【００７２】
処理５００６では、カード読み取り装置２００のＰＨＳ無線部２２０によって、予め設定した警備会社等に発呼を行い、危険度の高いカードが使用された旨を通報する。このとき当該カードが使用不可能とするか、使用可能とするかのいずれかとすることができる。
【００７３】
以上説明したように、本発明の実施の形態のカードシステムでは、カード１００とカード読み取り装置２００とにＰＨＳ無線部を設け、カード１００の紛失等によってそのカードの使用を禁止する際に、該カード１００の情報を認証サーバ５００に備えたカード認証用データベース５１０によって管理するので、カード１００の不正な利用を事前に防ぐことができる。また、カード読み取り装置２００にＰＨＳ無線部を備えたので、バスやタクシーなど、有線で接続ができない場所にカード読み取り装置を設置した場合にも、無線通信によって、使用が禁止されたカード１００の情報を受け取ることができ、カード１００の不正利用を防ぐことができる。さらに、基地局３００は、カードの使用禁止情報をページングチャネルのアイドル状態におけるオプションのデータに含めて送信するので、同一の一斉呼出エリア内に存在するカード読み取り装置２００に、カードの使用禁止情報を同報することができる。すなわち、近くに（同一の一斉呼出エリア内に）存在するカード読み取り装置２００は、同じ使用禁止情報を共有することができる。
【産業上の利用可能性】
【００７４】
本発明は、クレジットカード、キャッシュカード等を使用させるポストペイ方式のカードシステムに利用することができ、特に、電車やバス、タクシー等の様々な交通機関においてポストペイ方式のカードを使用させるカードシステムに好適である。
【図面の簡単な説明】
【００７５】
【図１】本発明の実施の形態のカードシステムの構成を示すブロック図である。
【図２】本発明の実施の形態のカード１００の構成を示すブロック図である。
【図３】本発明の実施の形態のカード読み取り装置２００の構成を示すブロック図である。
【図４】本発明の実施の形態のカード認証用データベース５１０の内容の一例を示す表である。
【図５】本発明の実施の形態のカード１００が行う位置登録の処理を示すフローチャートである。
【図６】本発明の実施の形態のカード読み取り装置２００が行う位置登録の処理を示すフローチャートである。
【図７】本発明の実施の形態の位置登録サーバ４００及び認証サーバが行う、カード１００の位置登録の処理を示すフローチャートである。
【図８】本発明の実施の形態の位置登録サーバ４００及び認証サーバが行う、カード読み取り装置２００の位置登録の処理を示すフローチャートである。
【図９】カード読み取り装置２００の行う、不正なカードが使用されようとした場合の処理を示すフローチャートである。
【符号の説明】
【００７６】
１００  カード
２００ａ、２００ｂ  カード読み取り装置
３００ａ、３００ｂ  基地局（ＣＳ）
４００  位置登録サーバ
４１０  位置登録データベース
５００  認証サーバ
５１０  カード認証用データベース
【図１】
2005079777.tif 000003
【図２】
2005079777.tif 000004
【図３】
2005079777.tif 000005
【図４】
2005079777.tif 000006
【図５】
2005079777.tif 000007
【図６】
2005079777.tif 000008
【図７】
2005079777.tif 000009
【図８】
2005079777.tif 000010
【図９】
2005079777.tif 000011